(57)【要約】【課題】上下に多段配列しても商品見本が見えやすく、消費者が所望の商品を容易に選択して購入できる。【解決手段】商品の支持台１と支持台１の前方に上下方向に傾斜角度調整可能に連結されたサンプル支持枠２とを具備した複数の商品陳列ユニット１００が棚板状に上下多段に設けられた縦長の商品陳列棚３０を具備し、複数の商品陳列ユニット１００のうち、上方に位置する商品陳列ユニット１００のサンプル支持枠２は、その前面が前方を向くように傾斜角度が調整され、下方に位置する商品陳列ユニット１００のサンプル支持枠２は、その前面が上方を向くように傾斜角度が調整されている。【選択図】      図９
2008307278.tif 000002
【特許請求の範囲】
【請求項１】
商品の支持台と、
支持台の前方に上下方向に傾斜角度調整可能に連結されたサンプル支持枠と、
支持台上に着脱可能に設けられる商品の収納ボックスと、
サンプル支持枠に着脱可能に設けられるサンプル支持トレイとを具備したことを特徴とする商品陳列ユニット。
【請求項２】
前記支持台は、側面視略Ｌ字形をなし、その左右両枠間に多数の係合突条が左右方向に平行に形成され、該係合突条に前記収納ボックスの底部の一カ所又は複数個所に左右方向に形成された略断面鉤形の係止レールが着脱可能に係止されたことを特徴とする請求項１に記載の商品陳列ユニット。
【請求項３】
前記サンプル支持枠の両側部と前記支持台の両側部間を、その両端を回動及び任意の回動位置で固定可能、かつ取外し可能なアームによって連結したことを特徴とする請求項１又は２記載の商品陳列ユニット。
【請求項４】
前記サンプル支持枠は、前記支持台の前端部に対し、サンプル支持枠の前面が略水平となる角度調整位置から、その前面が略垂直となる角度調整位置に、傾斜角度調整可能、かつ、所望の角度調整位置で固定可能に連結されていることを特徴とする請求項１乃至３のいずれか１項記載の商品陳列ユニット。
【請求項５】
商品の支持台と支持台の前方に上下方向に傾斜角度調整可能に連結されたサンプル支持枠とを具備した複数の商品陳列ユニットと、
複数の商品陳列ユニットが棚板状に上下多段に設けられた縦長の商品陳列棚とを具備し、
前記複数の商品陳列ユニットのうち、前記商品陳列棚の上方に位置する商品陳列ユニットの前記サンプル支持枠は、その前面が前方を向くように傾斜角度が調整され、前記商品陳列棚の下方に位置する商品陳列ユニットの前記サンプル支持枠は、その前面が上方を向くように傾斜角度が調整されていることを特徴とする商品陳列装置。
【請求項６】
前記商品陳列ユニットの前記支持台は、長辺と短辺とが側面視略Ｌ字形をなすように一体化された構造であり、
前記複数の商品陳列ユニットのうち、前記商品陳列棚の上方に位置する商品陳列ユニットの前記支持台は、その長辺が商品陳列棚の前面に取り付けられてその短辺が商品陳列棚の前方に突出し、前記商品陳列棚の下方に位置する商品陳列ユニットの前記支持台は、その短辺が商品陳列棚の前面に取り付けられてその長辺が商品陳列棚の前方に突出するように取り付けられていることを特徴とする請求項５記載の商品陳列装置。
【発明の詳細な説明】
【技術分野】
【０００１】
本発明は、例えば化粧品のように、同一種類であっても色彩が異なる多数の商品をサンプルとともに展示販売可能とした商品陳列ユニット及び複数の商品陳列ユニットを縦長の商品陳列棚に棚板状に上下多段に懸架して用いた商品陳列装置に関する。
【背景技術】
【０００２】
例えば、アイブロウ用のペンやリップスティック、コンパクトなどの小物化粧品類にあっては、顧客の好みによって選択する色彩が異なるため、販売側ではそれに応じた色彩の化粧品を多数用意して陳列販売することが必要であり、商品陳列棚の前方に色彩見本としてのサンプルを展示した上で、後部にその色彩に応じた商品（化粧品）を配列し、販売している。このような商品陳列装置としては、下記特許文献１に示されるものがある。
【特許文献１】特許第３８２８７４９号公報
【発明の開示】
【発明が解決しようとする課題】
【０００３】
上記特許文献１に示す商品陳列装置では、縦長の商品陳列棚に、棚板状に複数の商品陳列ユニットを上下多段に懸架して設け、各商品陳列ユニットの前方に商品サンプルを展示し、後方に該商品サンプルに対応する商品（化粧品）を展示して販売している。
【０００４】
ところが、このような従来の商品陳列装置では、上方に位置する商品陳列ユニット上の商品サンプルは伸び上がるようにして見る必要があり、下方に位置する商品サンプルは屈むようにして見る必要があるため、見えにくく、消費者が所望の商品を見落す原因となる。
【０００５】
本発明は、以上の課題を解決するためになされたものであり、その目的とするところは、消費者の好みに応じた商品を消費者自身が視認して確かめる作業を伴う販売形態であって、上下に多段配列しても商品見本が見えやすく、これによって消費者が所望の商品を容易に選択して購入できる商品陳列ユニット及び商品陳列装置を提供することにある。
【課題を解決するための手段】
【０００６】
前記目的を達成するため、本発明に係る商品陳列ユニット１００は、図１乃至図７の実施の形態にも示されるように、商品の支持台１と、支持台１の前方に上下方向に傾斜角度調整可能に連結されたサンプル支持枠２と、支持台１上に着脱可能に設けられる商品の収納ボックス３，４，５と、サンプル支持枠２に着脱可能に設けられるサンプル支持トレイ６，７，８とを具備したことを特徴としている。
【０００７】
前記支持台１は、側面視略Ｌ字形をなし、その左右両枠間に多数の係合突条１１が左右方向に連続状又は断続状に平行に形成され、該係合突条１１に前記収納ボックス３，４，５の底部の一カ所又は複数個所に左右方向に連続状又は断続状に形成された略断面鉤形の係止レール３ａ，４ａ，５ａが着脱可能に係止されたことを特徴としている。
このような、係脱構造とすることにより、支持台１上に、商品の収納ボックス３，４，５を安定して載置でき、地震などによっても、商品の収納ボックス３，４，５が支持台１から飛び出すような事故を防止できる。
【０００８】
前記サンプル支持枠２の両側部と前記支持台の両側部間を、その両端を回動及び任意の回動位置で固定可能、かつ取外し可能なアームによって連結したことを特徴としている。
【０００９】
前記サンプル支持枠２は、前記支持台１の前端部に対し、サンプル支持枠２のサンプルを展示する前面が略水平となる角度調整位置から、その前面が略垂直となる角度調整位置に、傾斜角度調整可能、かつ、所望の角度調整位置で固定可能に連結されていることを特徴としている。
【００１０】
さらに、前記目的を達成するため、本発明に係る商品陳列装置は、図８及び図９の実施の形態にも示されるように、上述したような商品の支持台１と支持台１の前方に上下方向に傾斜角度調整可能に連結されたサンプル支持枠２とを具備した複数の商品陳列ユニット１００と、該複数の商品陳列ユニット１００が棚板状に上下多段に設けられた縦長の商品陳列棚３０とを具備している。
前記複数の商品陳列ユニット１００のうち、前記商品陳列棚３０の上方に位置する商品陳列ユニット１００の前記サンプル支持枠２は、その前面が前方を向くように傾斜角度が例えば垂直方向に調整され、前記商品陳列棚３０の下方に位置する商品陳列ユニット１００の前記サンプル支持枠２は、その前面が上方を向くように傾斜角度が例えば水平方向に調整されている。中間位置にある商品陳列ユニット１００のサンプル支持枠２は、上方から見やすいように、例えば、４５度或いは６０度などの前傾傾斜角度に調整すればよい。
【００１１】
前記商品陳列ユニット１００の前記支持台１は、長辺と短辺とが側面視略Ｌ字形をなすように一体化された構造であり、前記複数の商品陳列ユニット１００のうち、前記商品陳列棚３０の上方に位置する商品陳列ユニット１００の支持台１は、その長辺が商品陳列棚３０の前面に取り付けられてその短辺が商品陳列棚３０の前方に突出し、前記商品陳列棚３０の下方に位置する商品陳列ユニット１００の支持台１は、その短辺が商品陳列棚３０の前面に取り付けられてその長辺が商品陳列棚の前方に突出するように取り付けられている。
このような取り付け構造により、下方の支持台１前端のサンプル支持枠２は、支持台１の長辺の前方に突出し、上方の支持台１前端のサンプル支持枠２は、支持台１の短辺の前端の後退位置にあるところから、サンプルとしての商品見本が、上方からみて見やすい位置に展示される。
【発明の効果】
【００１２】
本発明によれば、商品の高さ位置に応じてその商品見本を保持するサンプル支持枠を最も見やすい状態に角度調整して配置でき、該当する商品が梱包され、外から見えにくい場合でも間違いを生ずることなく取出すことができる。
【００１３】
支持台に形成した係合突条と収納ボックスの底部に形成された略断面鉤形の係止レールとを係合させることにより、商品陳列ユニットの支持台上に、商品の収納ボックスを安定して載置でき、地震などによっても、商品の収納ボックスが支持台から飛び出すような事故を防止できる。
【００１４】
さらに、アームの回動角度に応じて商品見本を最も見えやすい傾斜角度に調整できる。また、支持台の長辺側を水平面としたり、短辺側を水平面に変更する場合などのレイアウト変更時には、アームを取外せば容易にその姿勢変更に応じたサンプル支持枠の付け替えを行うことができる。
【発明を実施するための最良の形態】
【００１５】
図１乃至図７は、本発明の実施例に係る商品陳列ユニット１００を示している。各図において、商品陳列ユニット１００は、後述する縦長の商品陳列棚３０の各高さ位置に上下多段に棚板状に懸架される。各商品陳列ユニット１００は、商品を陳列する商品支持台１および商品支持台１の前方に上下方向に傾動可能に配置されたサンプル支持枠２と、商品支持台１上に固定される各種商品の収納ボックス３，４，５およびサンプル支持枠２上に設置されるサンプル支持トレイ６，７，８とから概略構成されている。この実施例では、各商品陳列ユニット１００は、アイブロウ用のペンやリップスティック、コンパクトなどの小物化粧品類を商品として、商品毎に陳列し、サンプル支持トレイ６，７，８は、各小物化粧品類の色見本トレイにより構成されている。
【００１６】
商品支持台１は、アクリル樹脂などからなる合成樹脂成形体であり、図１乃至３に示すように、側面視略Ｌ字形をなす１対の側枠９間に底板１０を一体化形成したものである。側枠９，９間において、底板１０上には特に図３に示すように、間口方向に沿って略逆凸字形の固定用のストライプよりなる係合突条１１が多数条横列されている。この係合突条１１は収納ボックス３，４，５を係止状態に固定するためのものである。側枠９の長辺９ａと短辺９ｂ側のいずれを底面としても良いが、図１乃至３では長辺９ａ側を底面とし、横配置している状態を示している。また、長辺９ａ側または短辺９ｂ側の底板１０の背面には図示しないが商品陳列棚３０に対する懸架部が設けられている。
【００１７】
サンプル支持枠２は、前記各サンプル支持トレイ６，７，８を嵌合させて設置すべく長方形の枠形状をなとしたものであり、その両側面と商品支持台１における両側枠９の長辺９ａ側の略中央とを連結した左右１対のアーム１２を介して商品支持台１の前方に所定傾斜角度で配置されている。
【００１８】
各アーム１２の両側取付端には、締付け用の摘み１４が挿通され、図３に一部拡大して示すように、側枠９およびサンプル支持枠２の側面（図略）にインサート成形により一体化されたナット部１５のねじ孔にねじ込み固定されるようになっており、この摘み１４のねじ込み操作により、商品支持台１に対するサンプル支持枠２の傾動角度を可変式に固定するようになっている。このような構成により、サンプル支持枠２は、商品支持台１に対し、略水平位置から略垂直位置に上下方向にその傾斜角度が可変とされ、所望の傾斜角度で固定自在とされている。
【００１９】
なお、単なるねじ込みによる摩擦保持力だけでなく、接合面に前記ねじ孔を中心としてチルト用の放射状凹凸を形成しておき、摘み１４のねじ込み操作により凹凸同士が噛合することによって、サンプル支持枠２を目的とする傾斜角度に確実に保持することが可能となる。
【００２０】
さらに、サンプル支持枠２の前面には展示商品の商品名、会社名などを印刷した前板１６が着脱可能に固定されている。なお、前板１６自体に印刷するのでなく、前板１６を透明樹脂で構成し、その裏面側に、印刷をした硬質紙を着脱可能に取付けるようにすることも可能である。
【００２１】
次に以上の商品支持台１およびサンプル支持枠２に設置される収納ボックス３，４，５およびサンプル支持トレイ６，７，８を、図４を用いて説明する。まず同図４（ａ）は、アイブロウためのペンシル用サンプル支持トレイ６およびその収納ボックス３を示している。
【００２２】
ペンシル用サンプル支持トレイ６は、サンプル支持枠２の内側寸法に応じた縦横寸法であり、サンプル支持枠２の内側に着脱可能に嵌め付けられるものである。このサンプル支持トレイ６には、複数の商品見本としての見本用ペンシル２０を立てるための複数の長孔６ａを横一列に形成するとともに、長孔６ａの裏面側にペンシル受け６ｂを一体に突出形成したものであり、色別に見本用ペンシル２０をサンプル支持トレイ６上に配置している。
【００２３】
ペンシル用の収納ボックス３は、上部開口した後部側に向けて浅底となる変形長方体であって、その外側の底面および背面には、前記係合突条１１に係合する１本若しくは複数本の略断面鉤形の係止レール３ａが間口方向に沿って一体に設けられている。この収納ボックス３の内部は間仕切り３ｂにより商品ペンシル２０の大きさに応じて縦横に多数仕切られているとともに、ボックス３の底面部３ｃは仕切毎に後部側に向けて階段状に高くなっており、平面に設置した状態で、後部側に至るにつれて仕切内に収容される商品の高さが高くなる配置とし、このうち横配列は、見本用ペンシル２０の配列と同数となっている。
【００２４】
図４（ｂ）は、リップスティック用サンプル支持トレイ７およびその収納ボックス４を示している。
【００２５】
リップスティック用サンプル支持トレイ７も前記と同様に、サンプル支持枠２の内側寸法に応じた縦横寸法であり、見本用リップスティック２１を前後２列、横に多数列に嵌合するための円孔７ａを開口するとともに、サンプル支持トレイ７の底面に前記円孔７ａに通ずる有底円筒形支持筒７ｂを一体に突設したものであり、色別に見本用リップスティック２１を配列している。
【００２６】
リップスティック用収納ボックス４は、上部開口した前部側に比べて後部側を一段高く形成したものであって、その底面および背面には、前記係合突条１１に係合する複数の係止レール４ａが間口方向に沿って一体に設けられ、かつ各段の内部は、間仕切り４ｃによって商品リップスティック２１の大きさに応じて縦横に仕切られ、このうち横配列は見本用リップスティック２１と同数となっているる。
【００２７】
図４（ｃ）は、コンパクトのサンプル支持トレイ８およびおよびその収納ボックス５を示している。
【００２８】
コンパクト用サンプル支持トレイ８は、２段となっていて、その下端段部をサンプル支持枠２の内側に嵌め込み固定するようになっている。このサンプル支持トレイ８はその上面に４つの見本用コンパクト２２を設置したトレイ本体部８ａと、本体部８ａの前方に矢印のごとく引出し格納可能な第２トレイ８ｂを備え、この第２トレイ８ｂ上にも４つの見本用コンパクト２２を配列している。このように上下２段としたのは見本用コンパクト２２が他の小物化粧品に比べてやや大形であり、かつその面を表示する必要があるためであり、本実施形態では前後４つで合計８つの色見本を表示できることになる。
【００２９】
コンパクト用収納ボックス５は、後部側に向けて浅底となる変形長方体であってその上部は前部側に比べて後部側が一段高い形状となっている。また、上面後方および背面には前記係合突条１１に係合する複数の係止レール５ａが間口方向に沿って一体に突設されている。
【００３０】
また、上部前方およびこれより一段高い後方は縦方向間仕切り５ｂによって商品コンパクト２２の大きさに応じてそれぞれ４つに仕切られ、さらに仕切内部の底面部４ｃは浅底となっている。
【００３１】
なお、収納ボックス３，４、５は、いずれもアクリル樹脂、ポリカーボネートなどの透明樹脂成形体から構成されるものであり、その内側はシースルーとなっている。また、各サンプル支持トレイ６，７，８は適宜な合成樹脂成形体から構成されているとともに、サンプル支持枠２と各サンプル支持トレイ６，７，８との間には図示しない着脱用の係止機構により脱着可能とすることにより、展示状態におけるサンプル支持トレイ６，７，８のサンプル支持枠２からの脱落を防止できる。
【００３２】
図５乃至７は、以上の収納ボックス３，４，５を支持台１上に固定するとともに、サンプル支持トレイ６，７，８をサンプル支持枠２に設置した状態を示す斜視図および側面図であり、（ａ）は横配置を、（ｂ）は縦配置を示している。
【００３３】
まず、図５（ａ）では、支持台１の側枠９の長辺９ａが水平、短辺９ｂが垂直となる横配置により商品陳列棚３０の壁面に懸架状態に固定されているとともに、ペンシル２０用収納ボックス３は後部側を短辺９ｂに対して浮かせた状態で支持台１上に設置され、係止レール３ａを係合突条１１に凹凸係合することによって支持台１上に固定されている。この状態で梱包箱２０’に梱包されたペンシル２０はその前列から順に階段状に高さを高くした状態で収納ボックス３に収納されており、横配置した状態での視認性を確保するとともに、指でつまんで取出しやすくなっている。なお、この配列は見本用のペンシル２０と同配列であり、棍棒箱２０’の内部を直接覗くことができなくても、色見本に対応する列の梱包箱をつまみ上げれば、同じ色のペンシルを取出すことができる。
【００３４】
また、サンプル支持枠２は、アーム１２の傾動角度調整により、支持台１の前方上部に位置しているとともに、緩角度で前方に傾斜し、それぞれのペンシル２０を急角度で斜め上方に向けている。
【００３５】
これに対し、図５（ｂ）では、支持台１の側枠９の短辺９ｂが水平、長辺９ａが垂直となる縦配列で商品陳列棚３０の壁面に懸架状態に固定されているとともに、収納ボックス３は元の底面側側を長辺９ａに対してべた一面に固定した支持台１上に設置されて各梱包箱２０’を上部側に傾斜した状態で階段状に傾斜配列している。
【００３６】
また、サンプル支持枠２はアーム１２の傾動角度調整により、支持台１の前方に急角度で傾斜し、それぞれのペンシル２０を水平に近い状態で配置している。
【００３７】
図６（ａ）では、支持台１の側枠９の長辺９ａが水平、短辺９ｂが垂直となる横配置により商品陳列棚３０の壁面に懸架状態に固定されているとともに、リップスティック２１用の収納ボックス４は支持台１上に設置され、係止レール３ａを係合突条１１に凹凸係合することによって支持台１上に固定されている。この状態で梱包箱２１’に梱包されたリップスティック２１はその前列から二段階で高さを高くした状態で収納ボックス４に収納されており、横配置した状態での視認性を確保するとともに、指でつまんで取出しやすくなっている。
【００３８】
これも、見本の列に対応した前列または後列の梱包箱を取上げることにより、同一色を得られるようになっている。
【００３９】
また、サンプル支持枠２は、アーム１２の傾動角度調整により、支持台１の前方上部にほぼ水平位置し、それぞれのリップスティック２１を上方に向けている。
【００４０】
これに対し、図６（ｂ）では、支持台１の側枠９の短辺９ｂが水平、長辺９ａが垂直となる縦配列で商品陳列棚３０の壁面に懸架状態に固定されている。収納ボックス４は図６（ａ）と同じ姿勢で固定されて各梱包箱２１’を側方やや上部側に傾斜した状態で配列している。
【００４１】
また、サンプル支持枠２はアーム１２の傾動角度調整により、支持台１の前方にほぼ垂直に位置させ、各リップスティック２１は水平に近い状態で平行配置される。
【００４２】
図７（ａ）では、支持台１の側枠９の長辺９ａが水平、短辺９ｂが垂直となる横配置により商品陳列棚３０の壁面に懸架状態に固定されているとともに、コンパクト２０用の収納ボックス５は後部側を長辺９ａに対して浮かせた状態で支持台１上に設置され、係止レール３ａを係合突条１１に凹凸係合することによって支持台１上に固定している。この状態で梱包箱２２’に梱包されたコンパクト２２はその前列から順に２段配置であって複数枚ずつ列をなして縦配列で収納ボックス３に収納されている。
【００４３】
これも、見本の列に対応した前列または後列の梱包箱を取上げることにより、同一色を得られるようになっている。
【００４４】
また、サンプル支持枠２は、アーム１２の傾動角度調整により、支持台１の前方上部に位置しているとともに、緩角度で前方に傾斜し、それぞれのコンパクト２０を急角度で斜め上方に向けている。
【００４５】
これに対し、図７（ｂ）では、支持台１の側枠９の短辺９ｂが水平、長辺９ａが垂直となる縦配列で商品陳列棚３０の壁面に懸架状態に固定されているとともに、収納ボックス５は元の底面側側を長辺９ａ側に対してべた一面に固定した支持台１上に設置されて各梱包箱２２’を一枚ずつ縦配列した状態で２段に配列している。
【００４６】
また、サンプル支持枠２はアーム１２の傾動角度調整により、支持台１の前方に急角度で傾斜し、それぞれのコンパクト２２を垂直に近い状態で配置している。
縦横の配置変更に応じてサンプル支持枠２の付け替えにあたっては、アーム１２を一担外し、再度長辺側及び短辺側に付け替えることによりそれぞれの配置に適合できることになる。
【００４７】
次に以上の収納ボックスおよびサンプル支持トレイを装備した棚板としての各商品陳列ユニット１００を商品陳列棚３０に配備した場合の一例を図８、９を用いて説明する。
【００４８】
商品陳列棚３０は、予備商品格納庫を兼用した設置台３０ａと、設置台３０ａの背面より立上がる縦長状の展示壁３０ｂと、展示壁３０ｂの上端にオーバハング状に位置する照明具フード３０ｃとからなっていて、フード３０ｃ内に配置された図示しない照明具により展示壁３０ｂに懸架された各陳列装置を照射するようになっている。
【００４９】
展示壁３０ｂには、その下部から順に、設置台３０ａの直上に配置された支持台１上に収納ボックス４を介して収容された多数の梱包箱２１’ならびに前方にサンプル支持枠２を介して配列された色見本用リップスティック２１と、その上部に配置された支持台１上に収納ボックス３を介して収容された多数の梱包箱２０’ならびに前方にサンプル支持枠２を介して配列された色見本用ペンシル２と、その上部に配置された支持台１上に収納ボックス５を介して収容された梱包箱２２’並びに前方に支持枠２を介して配列された色見本用コンパクト２２と、さらにその上部にはリップスティック２１、ペンシル２０の順に展示壁３０ｂの前面に配列されている。
【００５０】
このうちの下部側のリップスティック２１およびペンシル２０の２つの商品群は、支持台１を横置きした状態で展示販売され、上部側のコンパクト２２、リップスティック２１およびペンシル２０の３つの群は支持台１を縦置き配置した状態で展示販売されており、これによって消費者が陳列棚に相対したときに上部から下部までの見通しを確保している。
【００５１】
またこの縦配列に応じて、各サンプル支持トレイ６，７，８の傾斜角度は、特に図９に示すように、消費者の上向きから下向き姿勢に移行する間でその目線に一致して見えるような角度配置となっており、これによって、消費者は購入しようとする商品の見本を見落すことなく選択し、これに応じた商品の梱包箱を取出すことができるのである。
【００５２】
なお実施形態では、アイブロウ用のペンシル、リップスティック、コンパクトの３種類の化粧品の陳列に適用した場合を示したが他の小物化粧品、例えばマニキュアの陳列販売にも適用可能であり、さらには、同一商品であっても性状が異なり、顧客が直接目視確認した上で購入する販売形態における商品陳列装置に適用することも可能であることは勿論である。
【図面の簡単な説明】
【００５３】
【図１】本発明に係る商品陳列装置における商品陳列ユニットの分解斜視図である。
【図２】同組立斜視図である。
【図３】図１のＡ−Ａ線断面図である。
【図４】（ａ）〜（ｃ）は商品陳列ユニット設置されるサンプル支持トレイ及び収納ボックスを示す斜視図である。
【図５】（ａ），（ｂ）は商品ペンシル用商品陳列ユニットの横配置および縦配置を示す斜視図および側面図である。
【図６】（ａ），（ｂ）は商品リップスティック用商品陳列ユニットの横配置および縦配置を示す斜視図および側面図である。
【図７】（ａ），（ｂ）は商品コンパクト用商品陳列ユニットの横配置および縦配置を示す斜視図および側面図である。
【図８】各商品陳列ユニットを縦長状の商品陳列棚に配列した状態を示す斜視図である。
【図９】同商品陳列棚に対する消費者の目線との関係を示す側面図である。
【符号の説明】
【００５４】
１００  商品陳列ユニット
１  支持台
２  サンプル支持枠
３，４，５  収納ボックス
６，７，８  サンプル支持トレイ
９  側枠
１０  底板
１１  係合突条
１２  アーム
１４  摘み
１５  ナット部
１６  前板
２０，２１，２２  商品見本
（２０  ペンシル、２１  リップスティック、２２  コンパクト）
２０’，２１’２２’商品の梱包箱
３０  商品陳列棚
３０ａ  設置台
３０ｂ  展示壁
３０ｃ  フード
【図１】
2008307278.tif 000003
【図２】
2008307278.tif 000004
【図３】
2008307278.tif 000005
【図４】
2008307278.tif 000006
【図５】
2008307278.tif 000007
【図６】
2008307278.tif 000008
【図７】
2008307278.tif 000009
【図８】
2008307278.tif 000010
【図９】
2008307278.tif 000011